(57)【要約】【課題】眼鏡レンズを測定する際、レンズテーブルを突出／引込方向に移動せしめる場合において、レバー操作を不要にし、さらに、スイッチ操作や信号入力によりレンズテーブルの保持及び開放が可能な制御手段を備えたレンズメータを提供する。【解決手段】レンズテーブルの背後に複数本のロッドを設け、レンズテーブルを突出／引込方向に移動させるときに、レンズテーブルの両端または片側を手で保持して移動できる程度に、ロッドとロッド用の軸受け穴の間で適度なトルクを与えると共に、スイッチ操作や測定時のアライメント信号などの信号入力によりギアドモーターを動作させ、その回転動作によりレンズテーブルのロッドを締め付ける締め付け部材を変位させることによりロッドを締め付け、その摩擦力によりレンズテーブルを保持できるようにした。開放時はギアドモーターを保持時とは逆の回転動作によりロッドの締め付けを緩め、レンズテーブルを開放する。【選択図】図３
2007225346.tif 000002
【特許請求の範囲】
【請求項１】
測定用光束を投射する光源と、眼鏡レンズを載置するため筐体の前面に配設されたノーズピースと、該筐体から該ノーズピースに向かって突出／引込方向に移動可能である略鉛直な案内面を前面に有するレンズテーブルと、該ノーズピースに載置された該眼鏡レンズを透過した該測定用光束を受光する受光手段と、該受光手段により出力される出力信号を演算する演算手段とを備えた眼鏡レンズのレンズ度数等を測定するレンズメータにおいて、該眼鏡レンズが装着された眼鏡の上縁部または下縁部を該レンズテーブルの該案内面に当接させるとともに該眼鏡レンズを該ノーズピースに載置した状態で、該レンズテーブルを突出／引込方向に略無負荷で移動可能であるとともに、該レンズテーブルを任意の位置に移動した状態で保持させる保持手段を備えたことを特徴とするレンズメータ。
【請求項２】
前記保持手段は、保持及び開放を行う駆動手段と、該駆動手段の制御を行う駆動制御手段を備えたことを特徴とする請求項１に記載のレンズメータ。
【請求項３】
前記駆動制御手段は、前記演算手段により取得される演算結果に基づいて前記駆動手段を制御することを特徴とする請求項２に記載のレンズメータ。
【請求項４】
前記駆動制御手段は、スイッチ等の信号発生手段により出力される出力信号に基づいて前記駆動手段を制御することを特徴とする請求項２に記載のレンズメータ。
【請求項５】
前記駆動制御手段は、前記レンズテーブルを保持する時の駆動制御時間が、前記レンズテーブルを開放する時の駆動制御時間より長いことを特徴とする請求項２に記載のレンズメータ。
【発明の詳細な説明】
【技術分野】
【０００１】
本発明は、眼鏡に枠入れされた眼鏡レンズのレンズ度数を測定することができるレンズメータ、特に画面表示に基づいてレンズ測定部位の位置合わせを行うレンズメータに関するものである。
【背景技術】
【０００２】
従来から眼鏡レンズの測定には接眼式レンズメータが使用されてきた。この接眼式レンズメータの多くは眼鏡レンズ測定時に、測定光軸を略水平方向に調節できる構造を有している。そして、測定レンズの上縁部あるいは下縁部を当接させ、測定光軸の調整に合わせて測定レンズを移動させるレンズテーブルが設けられている。このレンズテーブルの測定レンズを当接させる当接面は測定光軸に平行になるように配置され、検者はこのレンズテーブルに眼鏡レンズを載せて眼鏡レンズを測定する。また、レンズテーブルは略鉛直方向に上下させ得る手段を備えており、検者はレンズテーブルを上下させて測定レンズの光軸を測定光軸に合わせていた。
【０００３】
ところが、近年眼鏡レンズの度数を自動的に測定するオートレンズメータが登場し、数多く使用されるようになってきた。これらのオートレンズメータは従来の接眼式レンズメータにおける接眼部の代わりに、液晶表示器に代表される表示部を持ち、この表示部は測定した眼鏡レンズの度数や軸合わせを行うアライメント状態を表示させる。そのため、検者はこの画面表示を見て、眼鏡レンズの測定を行うということになる。この場合、測定の作業性及び装置の占有場所を少なくするため、表示部を上方に配置する構造が採用されることが多い。これらのオートレンズメータの多くは測定光軸が鉛直方向になる構造を採用しており、そのためレンズテーブルの当接面は測定光軸に略平行にするため略鉛直方向に配置されている。
【０００４】
このようにレンズテーブルが配置されたオートレンズメータにおいては、眼鏡レンズを測定する場合、レンズ受け（ノーズピース）の上に眼鏡レンズを載せて、眼鏡レンズの上縁部あるいは下縁部を略鉛直方向に配置されたレンズテーブルの当接面に押し当てた状態でレンズテーブルを前後に移動するためのレバーを操作することにより軸合わせを行い、度数などの測定値を得ることになる。つまり、眼鏡レンズを測定する際においてはレンズテーブルを眼鏡レンズで押すように操作するため、レンズテーブルの位置が後方向（本体側）に移動しやすいという問題があった。この問題は、特にプリズムが処方された眼鏡レンズの測定においては重要な問題となり得る。これは、上下方向にプリズム処方がなされた眼鏡レンズのプリズム量を測定する場合、眼鏡レンズを当接させるレンズテーブルが一定の位置に保持されていることが必要があり、レンズテーブルが測定中に移動すると正確な測定ができないためである。
【０００５】
従来の接眼式レンズメータでは、レンズテーブルの移動においては相当量のトルクを必要とし、わずかな力ではレンズテーブルが移動しないような工夫が施されていた。従来の接眼式レンズメータは、眼鏡レンズをレンズテーブルに置くように構成され、測定時には眼鏡レンズがレンズテーブル上である程度安定していた。そのため、特に眼鏡レンズの保持に注意を払う必要がなく、レンズテーブルの上下移動に相当量のトルクを必要とする構造であっても操作上問題はなかった。しかし、オートレンズメータでは前述のように眼鏡レンズをレンズテーブルに押し当てて測定するように構成されているため、測定時は眼鏡レンズを保持すると同時に、レンズテーブルレバーの操作が必要となる。この際、レンズテーブルを移動させるレバー操作は片手で行うことになり、移動トルクが従来の接眼式レンズメータと同程度に設定されていると、レンズ測定が困難になってしまうのである。
【０００６】
このような問題を解決するため特許文献１（実公平７−４７７１８号）及び特許文献２（特開２００３−８３８４４）が提案されている。特許文献１では当て板（レンズテーブル）の前後方向の移動手段にベアリングを用いることにより移動時のトルクを最小限に抑え、わずかな力でも移動可能にし、さらに操作性をよくするために、当て板（レンズテーブル）の移動軸にピアノ線などのバネを取付けて、前方方向に付勢するようになっている。つまり、眼鏡レンズを測定する際、検者は眼鏡レンズの上縁部あるいは下縁部を当て板（レンズテーブル）に押し当てるときに加えるわずかな力で当て板（レンズテーブル）の移動が可能になり、従来、レンズテーブルの移動操作時に行っていたレバー操作をなくしたことにより、操作性の向上を提案したものである。
【０００７】
また、特許文献２においても同様な提案がなされている。メガネ当接板（レンズテーブル）を検者側に向けて弾性的に付勢する付勢部材を備えたもので、適度の押圧抵抗感を検者に与えるメガネ当接板（レンズテーブル）に眼鏡レンズを当接させながら、眼鏡レンズを位置決めできるとされている。つまり、従来のようなレバー操作を行うことを必要としないレンズメータの提案であり、その効果は特許文献１のものと同様である。
【０００８】
しかし、上記特許文献１及び特許文献２に示されたレンズテーブルに前方（検者側）方向の付勢手段が備えられたレンズメータは眼鏡レンズの位置決め時には上述のように操作性が向上され得るが、光軸合わせをした状態で印点を行う場合にも眼鏡レンズを保持する必要がある。この問題に対して特許文献２ではレンズテーブルに付勢する付勢力は、印点時に眼鏡レンズを保持するレンズ保持手段の保持力より弱くすることで対応している。ところが、オ−トレンズメータの多くは測定データを印刷する印刷機能を備えている場合が多く、そのためには測定データを記憶する必要があり、多くは押ボタンスイッチなどを設けて、光軸合わせをした状態でこのスイッチを押すという操作を行う。つまり、眼鏡レンズを保持しつつスイッチ操作をしなくてはならず、少しでも眼鏡レンズを保持する力が変化するとレンズテーブルに付勢される付勢力により眼鏡レンズが移動してしまい、不都合である。スイッチ操作を行う場合もレンズ保持手段により眼鏡レンズを保持すればいいという考えもあるが、そもそもレンズ保持手段はレンズに印点を行う場合に使用するものであり、また、その保持力は相当量の力であることから、レンズ保持手段を利用しての測定は、眼鏡レンズ表面の材質部分やその表面の反射防止コーティングなどにキズをつけてしまう恐れがあり、あまり好ましくない。それに加え、測定毎にレンズ保持手段を使用するのは、操作上非常に煩雑であり、これも好ましいとは言えない。
【０００９】
また、これら特許文献１及び特許文献２の構造を持つレンズテーブルを備えたレンズメータは、上述のようにレンズテーブルの操作性は向上しているもののレンズテーブルの位置を保持する機能を有しないため、例えばプリズムが処方された眼鏡レンズを測定する場合、左右のプリズム量の比較が困難な面が生じる。つまり、左右のプリズム量の比較を正確に行う場合は、片眼を測定終了時にその状態でレンズテーブルの位置を保持し、保持した状態でもう一方のレンズをレンズテーブルに押し当てて測定する必要があるという理由による。
【００１０】
【特許文献１】実公平７−４７７１８号公報
【特許文献２】特開２００３−８３８４４号公報
【発明の開示】
【発明が解決しようとする課題】
【００１１】
ここにおいて、本発明は上述の如き事情を背景として為されたものであって、その解決課題とするところは、(１)眼鏡レンズを測定する際、レンズテーブルを突出／引込方向に移動せしめる場合において、レバー操作を不要にすると共に、（２）突出／引込方向に移動されたレンズテーブルを、スイッチ操作や信号入力により保持及び開放状態を切換る駆動手段及び該駆動手段を制御する駆動制御手段を含む保持手段を備えた、新規なレンズメータを提供することにある。
【課題を解決するための手段】
【００１２】
以下にこのような課題を解決するために為された本発明の態様を記載する。なお、以下に記載の態様において採用される構成要素は、可能な限り任意の組み合わせで採用可能である。また、本発明の態様及至技術的特徴は、以下に記載のものに限定されることなく、明細書全体および図面に記載されたもの、或いはそれらの記載から当業者が把握することが出来る考案思想に基づいて認識されるものであることが理解されるべきである。
【００１３】
本発明は、測定用光束を投射する光源と、眼鏡レンズを載置するため筐体の前面に配設されたノーズピースと、該筐体から該ノーズピースに向かって突出／引込方向に移動可能である略鉛直な案内面を前面に有するレンズテーブルと、該ノーズピースに載置された該眼鏡レンズを透過した該測定用光束を受光する受光手段と、該受光手段により出力される出力信号を演算する演算手段とを備えた眼鏡レンズのレンズ度数等を測定するレンズメータにおいて、眼鏡レンズが装着された眼鏡の上縁部または下縁部を該レンズテーブルの該案内面に当接させるとともに該眼鏡レンズを該ノーズピースに載置した状態で、該レンズテーブルを突出／引込方向に略無負荷で移動可能であるとともに、該レンズテーブルを任意の位置に移動した状態で保持させる保持手段を備えている。
【００１４】
このような本態様に従う構造とされたレンズメータにおいては、眼鏡レンズを測定する場合、眼鏡レンズの上縁部または下縁部を前記レンズテーブルの案内面に当接させた状態を維持しつつ前記眼鏡レンズと前記レンズテーブルを突出／引込方向に移動可能であり、レンズテーブルの移動用操作レバー及び該レバー操作を必要としない。つまり、眼鏡レンズを該レンズテーブルへ当接させつつ該レンズテーブルを移動させ、眼鏡レンズの測定部位を測定光軸にアライメント合わせを行い、更にアライメント合わせ完了位置に該レンズテーブルを保持する一連の作業において前記レンズテーブルを左右両手で支持しながら行うことが可能となる。このため、眼鏡レンズを前記レンズテーブルへ安定して当接させることができるため、前記アライメント合わせを正確に行うことが可能となるのである。
【００１５】
さらに本態様における保持手段は、保持及び開放を行う駆動手段と、該駆動手段の制御を行う駆動制御手段を備えている。このような構成を採用することにより、常に一定の保持力の付与が可能となり、保持力が不足した状態で眼鏡を前記レンズテーブルに当接して位置ズレを生じることを防止することができる。
【００１６】
さらに本態様における保持及び開放を行う第１の駆動制御手段は、前記演算手段により取得される演算結果に基づいて保持及び開放を行う駆動手段を制御することを特徴としている。例えば、光軸合わせのアライメントが終了した場合、あるいは予め設定された測定値が取得された時点において保持を開始する信号を出力することにより前記駆動制御手段を作動させ、前記レンズテーブルを保持することが可能である。つまり、前記レンズテーブルを保持させる手段を操作するために左右一方の手を離すことに起因する位置ズレを生じることなく、前記レンズテーブルを保持することが可能となるのである。
【００１７】
さらに本態様における保持及び開放を行う第２の駆動制御手段は、スイッチ等の信号発生手段により出力される出力信号に基づいて保持及び開放を行う駆動手段を制御することを特徴としている。例えば、前記レンズテーブルの側面などに操作スイッチを設け、前記レンズテーブルを左右両手にて支持している状態で該スイッチの操作を可能とする構成にすることにより、前記レンズテーブルの保持及び開放の制御が行える。従って、希望する位置に前記レンズテーブルを保持可能となる。
【００１８】
上述した態様を採用することにより、眼鏡レンズの測定を容易にするとともに、測定の信頼性の向上も図ることができるのである。
【００１９】
さらに本態様における前記駆動制御手段においては、前記レンズテーブルを保持する時の駆動制御時間が、前記レンズテーブルを開放する時の駆動制御時間より長く設定してある。通常、前記レンズテーブルを保持する際は前記レンズテーブルの駆動軸に樹脂材などの接触部材を押し当て、その摩擦力により保持することになる。保持動作を繰り返し行うと前記接触部材は磨耗して前記駆動軸との接触面積が小さくなる。磨耗の度合いがある一定量を越えると前記摩擦力は低下し、前記レンズテーブルの保持ができなくなる恐れがある。本発明は前記接触部材が磨耗した場合においても、保持する時の駆動制御時間を開放する時の駆動時間より長く設定することにより、前記接触部材と前記駆動軸の接触面積を常に一定に保つことを実現し、長期の使用においても磨耗による影響を受けることなく前記レンズテーブルの保持可能な状態を維持できるのである。
【発明を実施するための最良の形態】
【００２０】
以下、本発明を更に具体的に明らかにするために、本発明の実施形態について、図面を参照しつつ、詳細に説明する。
【実施例】
【００２１】
図１には、本発明の一実施形態であるレンズメータ１０の全体概略が示されている。このレンズメータ１０は、略堅形ボックス状の筐体１２を備えている。この筐体１２の前面側は、下部に比して上部が前方に突出しており、庇状に突出したこの上部１４によって下部前面には全体的に大きく凹んだ測定用スペース１６が形成されている。また、突出した上部１４の突出前面には、測定状態や測定結果を表示する液晶表示画面１８が設けられている。
【００２２】
また、上述の測定用スペース１６には、幅方向中央部分において上下方向に離隔して対向位置する光路用凸部２２、２４が前方に突出形成されている。そして、下側の光路用突部２４の突出上面には、略円筒形状で上方に向かって突出するノーズピース２６が突設されていると共に、光路用凸部２４の前面中央部には測定値を保存及び記憶するためのスイッチ２０が配設されている。本実施形態では、筐体１２の内部に収容された発光源から導かれた測定光束が、上側の光路用凸部２２内から鉛直下方に向かって投射されて、測定用スペース１６を通って、ノーズピース２６の先端面に開口する入射窓から光路用凸部２４を経由して筐体１２内に入射され、筐体１２内に収容配置された受光素子によってかかる測定用光束が受光されるようになっている。即ち、ノーズピース２６上に測定用光束によるレンズ度数等の測定ポイントが形成されているのである。
【００２３】
更にまた、上側の光路用凸部２２には、ノーズピース２６に向かって下方に突出するレンズ押え２８が鉛直上下方向に移動可能に装着されており、印点レバー３０の回転及び上下操作に基づいて、かかる印点レバー３０を含む印点部が上下方向に駆動可能とされている。また、レンズ押え２８には、下方に向かって突出する複数本（本実施形態では３本）のレンズ押えピン３２が固定されている。そして、レンズ押え２８を下方に変位させることにより、複数本の押えピン３２が下方に向かって一体的に降下せしめられるようになっている。
【００２４】
これにより、本実施形態では、ノーズピース２６上に眼鏡レンズを載置せしめて、そのレンズ度数等の光学特性の測定点をノーズピース２６上に位置決めした状態下で、レンズ押え２８を下方に変位せしめることにより、ノーズピース２６上に載置された被検レンズを複数本のレンズ押えピン３２でノーズピース２６上に押し付けて位置固定に保持せしめ得るようにされている。
【００２５】
さらに、筐体１２において測定用スペース１６を形成する下部前面には、レンズテーブル３４が配設されている。このレンズテーブル３４は、筐体１２において水平となる幅方向の略全長に亘って延びる長手ブロック状を有しており、前面が略鉛直で平坦な案内面３６とされている。そして、かかるレンズテーブル３４は、ノーズピース２６よりも奥方（筐体１２側）、つまり測定用光束の後方に位置せしめられている。また、かかる状態下で、印点レバー３０を含む印点部を降下させることにより、内蔵された図示しない印点手段によって被検レンズの所定位置に印点を記すことが出来るようになっている。
【００２６】
また、図２に示されているように、レンズテーブル３４には、その背後から奥方に突出して筐体１２内に延びるロッド３８が複数本設けられている。（図２は側面図のため１本のみ確認可能である。）これによりレンズテーブル３４は筐体１２の収容凹部４２からノーズピース２６の後位置まで前後方向に水平に移動可能となっている。ロッド３８は本実施例では丸棒型であり円柱側面は磨き処理がなされ、図１０に示されるように、収容凹部４２の内側にある軸受け穴部３９に通してある。さらに、レンズテーブル３４の前後方向の移動がレンズテーブルの両端を両手あるいは片手で支持しながら移動可能であり、適度なトルクを与えるためにロッド３８と軸受け穴部３９の間にはグリスなどの潤滑剤が塗布されている。つまり、被検レンズを保持しながらレンズテーブル３４を直接移動可能となっているのである。
【００２７】
図３及び図４はレンズテーブル保持手段の概略を、図６はレンズテーブル保持手段を部分的に詳細に示したものである。図３に示されるように、ロッド３８の一方のロッドには締め付け用部材６１が嵌め込んである。また、締め付け用部材６１にはロッド３８が通るロッド用孔６３の一部に数mm程度の切り込み６４があり、この切り込み６４により上部シャフト受６８と下部シャフト受６９を形成している。ロッド用孔６３の径はロッド３８よりやや大きくできており、通常はロッド３８とロッド用孔６３の間には摩擦がほとんどない状態に設定されている。さらにロッド用孔６３の横の上部シャフト受６８と下部シャフト受６９にはロッド用孔６３と略垂直方向にギアドモーター６０から延びるシャフト６２が通るシャフト用孔６５があり、シャフト６２が通してある。シャフト６２の下方部分には雄ネジが加工されており、その雄ネジに合わせた雌ネジナット７２が下部シャフト受６９のシャフト用孔６５の下方部に嵌め込んである。つまり、図４に示すようにギアドモーター６０から伸びるシャフト６２が時計方向に回転するとシャフト６２の一部に設けられた雄ネジ６７も時計方向に回転し、雌ネジナット７２と一体である下部シャフト受６９が上方に案内され、結果としてロッド用孔６３の径が小さくなるためロッド３８を締め付ける。締め付けによりロッド３８とロッド用孔６３の内壁の接触面積は増加し、摩擦力によりロッド３８、蓋しレンズテーブル３４が保持されるのである。レンズテーブル３４の保持を開放する場合はギアドモーター６０の回転方向を時計方向とは逆に回転させる。それにより下部シャフト受６９は下方に移動し、ロッド用孔６３の径が大きくなり図３のように通常状態に戻り摩擦がなくなる。
【００２８】
図７は実際の使用例を示した図である。眼鏡６６の片側レンズ（図７では右眼用レンズ）をノーズピース２６の載せ、さらに眼鏡６６の左右の両下縁部がレンズテーブル３４の案内面３６に接するようにレンズテーブル３４を移動し、その状態で（つまり、眼鏡６６の左右の両下縁部がレンズテーブル３４に接触させた状態で）光軸の中心合わせなどを行い、眼鏡６６の眼鏡レンズの度数を測定する。このとき、液晶表示画面１８にアライメント状態が表示され、検者はかかるアライメント状態表示画面を見てアライメントを行う。通常は測定光軸に測定する眼鏡レンズの光学中心を合わせる。眼鏡レンズが光学中心にアライメントされると、本体内部の演算手段９０からギアドモーター制御回路９１に信号を出力し、ギアドモーター６０が駆動（時計方向に回転）し、上述のようにレンズテーブル３４を保持するのである。
【００２９】
前記使用例は測定する眼鏡６６がプリズム処方されていない場合であるが、測定する眼鏡６６がプリズム処方されている場合には、図示しない入力手段によりその処方値（プリズム値）を予め入力し、演算手段９０により得られたプリズム値が、予め入力された処方値（プリズム値）に合った場合は上述の例のように演算手段９０からギアドモーター制御回路９１に信号を出力し、図４のようにギアドモーター６０が駆動（時計方向に回転）し、上述のようにレンズテーブル３４を保持する。保持を開放する場合、図１のスイッチ２０を押し、その信号によりギアドモーター制御回路９１を通じてギアドモーター６０に時計方向を逆回転させ、上述のようにレンズテーブル３４の保持状態を開放する。
【００３０】
また、ギアドモーター制御回路９１は、レンズテーブル３４の保持するときのギアドモーター６０の駆動時間が、レンズテーブル３４を開放するときのギアドモーター６０の駆動時間より長くなるように設定してある。ギアドモーター６０を繰り返し作動させると経時変化により締め付け部材６１が磨耗を生じ、その磨耗の進行によっては保持に必要な摩擦力が不十分となる。レンズテーブル３４を開放する際は、レンズテーブル３４が略無負荷にて移動可能な状態にするようにギアドモーター６０を駆動させるだけでよい。しかし、レンズテーブル３４を保持する際には、締め付け部材６１がロッド３８に確実に接触するまでギアドモーター６０を駆動させてこの磨耗の影響を排除する必要が生じる。従って、レンズテーブル３４を保持する場合は、開放する場合よりギアドモーター６０の駆動時間を長く設定する。これにより、締め付け部材６１の磨耗による影響が排除され、安定した保持及び開放動作が確保可能となるのである。
【００３１】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【００３２】
例えば、レンズテーブル３４を開放する制御は上述のようにスイッチ２０の操作以外に、保持した時点から一定時間経過後に自動的に開放用の信号をギアドモーター制御回路９１に入力するようにしてもよい。さらに、スイッチ２０あるいは図８に示すようにレンズテーブル３４の側面に取付けたスイッチ９２を操作することにより、レンズテーブル３４を保持するようにギアドモーター６０を制御しても構わない。この場合、検者は任意の位置でレンズテーブル３４を保持することが可能となる。さらに、スイッチを操作する毎に保持および開放が交互になされるようにギアドモーター６０を制御することで、同一のスイッチの操作によりレンズテーブル３４の保持及び開放が可能となり、操作性をより向上できる。また、図１０に示すように引っ張りバネ７０を取付けてレンズテーブル３４に手前方向に付勢力を与える構造も可能である。図９には本実施形態としての概略構成を示す。
【図面の簡単な説明】
【００３３】
【図１】本発明の一実施形態としてのレンズメータの全体概略構造を示す斜視図である。
【図２】図１における左側面図である。
【図３】レンズテーブル保持手段の概略を示すための本体内部の部分図である。（保持されていない状態）
【図４】レンズテーブル保持手段の概略を示すための本体内部の部分図である。（保持されている状態）
【図５】レンズテーブル保持手段を上部から見た概略図である。
【図６】レンズテーブル保持手段の一部を詳細に示した図である。
【図７】実際の使用状態を示した図である。
【図８】本発明の一実施形態としてレンズテーブルの側面にギアドモーターを制御するための押しボタンスイッチを備えたレンズメータの全体概略構造を示す斜視図である。
【図９】図７、図８の実施形態としての構成を示した図である。
【図１０】レンズテーブルに付勢力を与える手段の一実施例を示した図である。
【符号の説明】
【００３４】
１０  レンズメータ
１２  筐体
１６  測定用スペース
１８  液晶表示画面
２６  ノーズピース
３２  レンズ押えピン
３４  レンズテーブル
３６  案内面
３８  ロッド
３９  軸受け穴部
４２  収容凹部
４６  下部前面
６０  ギアドモーター
６１  締め付け部材
６２  シャフト
７０  スプリング
７１  スプリング保持板
９０  演算手段
９１  ギアドモーター制御回路
９２  押しボタンスイッチ
【図１】
2007225346.tif 000003
【図２】
2007225346.tif 000004
【図３】
2007225346.tif 000005
【図４】
2007225346.tif 000006
【図５】
2007225346.tif 000007
【図６】
2007225346.tif 000008
【図７】
2007225346.tif 000009
【図８】
2007225346.tif 000010
【図９】
2007225346.tif 000011
【図１０】
2007225346.tif 000012